(57)【要約】【課題】治療の効率性を向上させることができる医用装置、医用装置の制御方法、およびプログラムを提供することである。【解決手段】実施形態の取得部は、電磁波を被検体に照射して撮影することで透視画像を生成する撮影部から、前記被検体の透視画像を取得する。特定部は、前記透視画像における前記被検体のターゲット位置を特定する。制御部は、前記特定部により特定されたターゲット位置が照射許可範囲内に収まる場合に、前記被検体に治療ビームを照射する治療装置に照射許可信号を出力する。前記制御部は、第１スイッチが操作された場合に、前記撮影部に前記電磁波の照射を停止させると共に前記取得部による前記透視画像の取得を停止させる。前記制御部は、第２スイッチが操作された場合に、前記撮影部に前記電磁波の照射を停止させると共に前記取得部による前記透視画像の取得が可能である状態を維持する。【選択図】図１
2019107396.tif 000002
【特許請求の範囲】
【請求項１】
電磁波を被検体に照射して撮影することで透視画像を生成する撮影部から、前記被検体の透視画像を取得する取得部と、
前記透視画像における前記被検体のターゲット位置を特定する特定部と、
前記特定部により特定されたターゲット位置が照射許可範囲内に収まる場合に、前記被検体に治療ビームを照射する治療装置に照射許可信号を出力する制御部と、を備え、
前記制御部は、第１スイッチが操作された場合に、前記撮影部に前記電磁波の照射を停止させると共に前記取得部による前記透視画像の取得を停止させ、第２スイッチが操作された場合に、前記撮影部に前記電磁波の照射を停止させると共に前記取得部による前記透視画像の取得が可能である状態を維持する、
医用装置。
【請求項２】
前記制御部は、前記第１スイッチが操作された場合、前記取得部により取得されメモリに格納されていた前記透視画像の情報をストレージ装置に転送する処理を実行する、
請求項１に記載の医用装置。
【請求項３】
前記制御部は、前記被検体に前記治療ビームが照射される状態で前記第１スイッチまたは前記第２スイッチが操作された場合に、前記照射許可信号の出力を停止する、
請求項１または請求項２に記載の医用装置。
【請求項４】
前記制御部は、第３スイッチが操作された場合、準備段階であれば前記撮影部に撮影開始を指示し、治療段階であれば前記照射許可信号の出力を開始する、
請求項１から請求項３のいずれか一項に記載の医用装置。
【請求項５】
前記制御部は、第３スイッチが操作された場合、準備段階であれば第１間隔で前記電磁波を前記被検体に照射して撮影することを前記撮影部に指示し、治療段階であれば前記第１間隔と異なる第２間隔で前記電磁波を前記被検体に照射して撮影することを前記撮影部に指示する、
請求項１から請求項４のいずれか一項に記載の医用装置。
【請求項６】
前記制御部は、参照画像作成段階において前記第３スイッチが操作された場合、所定期間の撮影を前記撮影部に指示する、
請求項４に記載の医用装置。
【請求項７】
前記所定期間は、予め指定された呼吸周期分の期間である、
請求項６に記載の医用装置。
【請求項８】
前記照射許可信号が出力されている間、所定のアイコンを表示部に表示させる表示制御部を更に備える、
請求項１から請求項７のいずれか一項に記載の医用装置。
【請求項９】
前記照射許可範囲を前記透視画像に重畳表示させ、前記照射許可信号を出力する際に前記照射許可範囲の色を変更する表示制御部を更に備える、
請求項１から請求項８のいずれか一項に記載の医用装置。
【請求項１０】
前記照射許可範囲を前記透視画像に重畳表示させ、前記照射許可信号を出力する際に、前記照射許可範囲の内側領域と外側領域のいずれかの色彩または輝度を変更する表示制御部を更に備える、
請求項１から請求項９のいずれか一項に記載の医用装置。
【請求項１１】
前記照射許可信号を出力する際に、音または振動で通知する通知部を更に備える
請求項１から請求項１０のいずれか一項に記載の医用装置。
【請求項１２】
電磁波を被検体に照射して撮影することで透視画像を生成する撮影部から、前記被検体の透視画像を取得する取得部と、
前記透視画像における前記被検体のターゲット位置を特定する特定部と、
前記特定部により特定されたターゲット位置が照射許可範囲内に収まる場合に、前記被検体に治療ビームを照射する治療装置に照射許可信号を出力する制御部と、を備え、
前記制御部は、第１スイッチが操作された場合に、前記治療装置に前記電磁波の照射が可能である状態を終了させ、第２スイッチが操作された場合に、前記治療装置に前記電磁波の照射が可能である状態を維持させる、
医用装置。
【請求項１３】
電磁波を被検体に照射して撮影することで透視画像を生成する撮影部から、前記被検体の透視画像を取得する取得部と、
前記透視画像における前記被検体のターゲット位置を特定する特定部と、
前記特定部により特定されたターゲット位置が照射許可範囲内に収まる場合に、前記被検体に治療ビームを照射する治療装置に照射許可信号を出力する制御部と、を備え、
前記制御部は、前記治療装置が前記治療ビームを照射することが可能である状態において、第１スイッチが操作された場合に、前記治療装置に前記治療ビームの照射が可能である状態を終了させ、第２スイッチが操作された場合に、前記治療装置に前記治療ビームの照射が可能である状態を維持させる、
医用装置。
【請求項１４】
コンピュータが、
電磁波を被検体に照射して撮影することで透視画像を生成する撮影装置から、前記被検体の透視画像を取得し、
前記透視画像における前記被検体のターゲット位置を特定し、
前記特定されたターゲット位置が照射許可範囲内に収まる場合に、前記被検体に治療ビームを照射する治療装置に照射許可信号を出力し、
第１スイッチが操作された場合に、前記撮影装置に前記電磁波の照射を停止させると共に前記透視画像の取得を停止し、第２スイッチが操作された場合に、前記撮影装置に前記電磁波の照射を停止させると共に前記透視画像の取得が可能である状態を維持させる、
医用装置の制御方法。
【請求項１５】
コンピュータに、
電磁波を被検体に照射して撮影することで透視画像を生成する撮影装置から、前記被検体の透視画像を取得させ、
前記透視画像における前記被検体のターゲット位置を特定させ、
前記特定されたターゲット位置が照射許可範囲内に収まる場合に、前記被検体に治療ビームを照射する治療装置に照射許可信号を出力させ、
第１スイッチが操作された場合に、前記撮影装置に前記電磁波の照射を停止させると共に前記透視画像の取得を停止させ、第２スイッチが操作された場合に、前記撮影装置に前記電磁波の照射を停止させると共に前記透視画像の取得が可能である状態を維持する、
プログラム。
【発明の詳細な説明】
【技術分野】
【０００１】
本発明の実施形態は、医用装置、医用装置の制御方法、およびプログラムに関する。
【背景技術】
【０００２】
重粒子線や放射線などの治療ビームを患者（被検体）に照射する治療装置が知られている。被検体の患部、すなわち治療ビームを照射する箇所は、呼吸や心拍、腸の動きなどによって移動する場合がある。これに対応する治療法として、ゲーテッド照射法や追尾照射法が知られている。
【０００３】
呼吸によって移動する患部に治療ビームを照射する場合、被検体の呼吸位相と同期させて照射を行う必要がある。呼吸位相同期の手法として、被検体の身体に取り付けた各種センサの出力値を利用して呼吸位相を把握する手法（外部呼吸同期）と、被検体の透視画像に基づいて呼吸位相を把握する手法（内部呼吸同期）がある。呼吸位相同期のための処理は、治療装置に制御信号を出力する医用装置によって行われる。医用装置は、例えば治療装置と有線または無線で通信することで、治療装置を制御する。
【０００４】
この種の治療は、Ｘ線などにより患者の体内の透視画像を撮影しながら行われ得る。このような撮影は、例えば、治療が終了した場合や治療が再開できないような異常が生じた場合の他、患者の容体が軽度に変化した場合や医師等が一時的に手を止める場合などに停止され得る。しかしながら、従来の技術では、このような撮影停止の後、撮影再開までに時間を要することがあり、効率が低下する場合があった。
【先行技術文献】
【特許文献】
【０００５】
【特許文献１】特開２０１７−１４４０００号公報
【発明の概要】
【発明が解決しようとする課題】
【０００６】
本発明が解決しようとする課題は、治療の効率性を向上させることができる医用装置、医用装置の制御方法、およびプログラムを提供することである。
【課題を解決するための手段】
【０００７】
実施形態の医用装置は、取得部と、特定部と、制御部とを持つ。前記取得部は、電磁波を被検体に照射して撮影することで透視画像を生成する撮影部から、前記被検体の透視画像を取得する。前記特定部は、前記透視画像における前記被検体のターゲット位置を特定する。前記制御部は、前記特定部により特定されたターゲット位置が照射許可範囲内に収まる場合に、前記被検体に治療ビームを照射する治療装置に照射許可信号を出力する。前記制御部は、第１スイッチが操作された場合に、前記撮影部に前記電磁波の照射を停止させると共に前記取得部による前記透視画像の取得を停止させる。前記制御部は、第２スイッチが操作された場合に、前記撮影部に前記電磁波の照射を停止させると共に前記取得部による前記透視画像の取得が可能である状態を維持する。
【発明の効果】
【０００８】
本実施形態によれば、治療の効率性を向上させることができる医用装置、医用装置の制御方法、およびプログラムを提供することができる。
【図面の簡単な説明】
【０００９】
【図１】医用装置１００を含む治療システム１の構成図。
【図２】治療システム１における治療の流れの一例を示すフローチャート。
【図３】医用装置１００の入力・表示部１２０により表示されるインターフェース画像ＩＭの一例を示す図。
【図４】第１ボタンＢ１、第２ボタンＢ２、および第３ボタンＢ３の表示態様の変化を示す図。
【図５】第４ボタンＢ４、第５ボタンＢ５、および第６ボタンＢ６の内容を示す図。
【図６】参照画像作成段階において、第１ボタンＢ１および第２ボタンＢ２の操作に応じて医用装置１００により実行される処理の流れの一例を示すフローチャート。
【図７】追跡条件設定段階において、第１ボタンＢ１および第２ボタンＢ２の操作に応じて医用装置１００により実行される処理の流れの一例を示すフローチャート。
【図８】治療段階において、第１ボタンＢ１および第２ボタンＢ２の操作に応じて医用装置１００により実行される処理の流れの一例を示すフローチャート。
【発明を実施するための形態】
【００１０】
以下、実施形態の医用装置、医用装置の制御方法、およびプログラムを、図面を参照して説明する。なお、また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００１１】
＜構成＞
図１は、医用装置１００を含む治療システム１の構成図である。治療システム１は、例えば、治療装置１０と、医用装置１００とを備える。
【００１２】
治療装置１０は、例えば、寝台１１と、放射線源１２−１、１２−２と、検出器１３−１、１３−２と、照射門１４と、センサ１５と、治療装置側制御部２０とを備える。以下、符号におけるハイフンおよびこれに続く数字は、いずれの放射線源および検出器の組による透視用の放射線、或いは透視画像であるかを示すものとする。また、適宜、符号におけるハイフンおよびこれに続く数字を省略して説明を行う。
【００１３】
寝台１１には、治療を受ける被検体Ｐが固定される。放射線源１２−１は、被検体Ｐに対して放射線ｒ−１を照射する。放射線源１２−２は、放射線源１２−１とは異なる角度から、被検体Ｐに対して放射線ｒ−２を照射する。放射線ｒ−１およびｒ−２は、電磁波の一例であり、例えばＸ線である。以下、これを前提とする。
【００１４】
放射線ｒ−１は検出器１３−１によって検出され、放射線ｒ−２は検出器１３−２によって検出される。検出器１３−１および１３−２は、例えばフラット・パネル・ディテクタ（ＦＰＤ；Flat Panel Detector）、イメージインテンシファイア、カラーイメージインテンシファイアなどである。検出器１３−１は、放射線ｒ−１のエネルギーを検出してデジタル変換し、透視画像ＴＩ−１として医用装置１００に出力する。検出器１３−２は、放射線ｒ−２のエネルギーを検出してデジタル変換し、透視画像ＴＩ−２として医用装置１００に出力する。図１では、２組の放射線源および検出器を示したが、治療装置１０は、３組以上の放射線源および検出器を備えてもよい。
【００１５】
照射門１４は、治療段階において、被検体Ｐに対して治療ビームＢを照射する。治療ビームＢには、例えば、重粒子線、Ｘ線、γ線、電子線、陽子線、中性子線などが含まれる。図１では、１つの照射門１４のみ示したが、治療装置１０は複数の照射門を備えてもよい。なお、以下では、放射線源１２−１、１２−２および検出器１３−１、１３−２を撮影部３０と総称する。
【００１６】
センサ１５は、被検体Ｐの外部呼吸位相を認識するためのものであり、被検体Ｐの身体に取り付けられる。センサ１５は、例えば、圧力センサである。
【００１７】
治療装置側制御部２０は、医用装置１００からの制御信号に応じて、放射線源１２−１、１２−２、検出器１３−１、１３−２、および照射門１４を動作させる。
【００１８】
医用装置１００は、例えば、統括制御部１１０と、入力・表示部１２０と、入力操作取得部１２２と、表示制御部１２４と、取得部１３０と、参照画像作成部１３２と、画像処理部１３６と、ターゲット位置特定部１４０と、出力制御部１５０と、記憶部１６０とを備える。統括制御部１１０、入力操作取得部１２２、表示制御部１２４、取得部１３０、参照画像作成部１３２、画像処理部１３６、ターゲット位置特定部１４０、および出力制御部１５０は、例えば、少なくとも一部が、ＣＰＵ（Central Processing Unit）やＧＰＵ（Graphics Processing Unit）などのハードウェアプロセッサが記憶部１６０に格納されたプログラム（ソフトウェア）を実行することにより実現される。また、これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。
【００１９】
以下、医用装置１００の各部の機能について説明する。医用装置１００の説明において、透視画像ＴＩに対する処理として説明されたものは、特に注記が無い限り、透視画像ＴＩ−１、ＴＩ−２の双方に対して並行して実行されるものとする。統括制御部１１０は、医用装置１００の機能を統括的に制御する。
【００２０】
入力・表示部１２０は、「表示部」の一例である。入力・表示部１２０は、例えば、ＬＣＤ（Liquid Crystal Display）や有機ＥＬ（Electroluminescence）表示装置、ＬＥＤ（Light Emitting Diode）ディスプレイなどの表示装置と、操作者による入力操作を受け付ける入力装置とを含む。入力・表示部１２０は、表示装置と入力装置が一体に形成されたタッチパネルであってもよいし、マウスやキーボードなどの入力デバイスを備えてもよい。
【００２１】
入力操作取得部１２２は、入力・表示部１２０に対してなされた操作（タッチ、フリック、スワイプ、クリック、ドラッグ、キー入力など）の内容を認識し、認識した操作の内容を統括制御部１１０に出力する。表示制御部１２４は、統括制御部１１０からの指示に応じて、入力・表示部１２０に画像を表示させる。表示制御部１２４は、治療の準備段階と、前記治療ビームＢの照射段階とのそれぞれの開始指示を受け付けるためのインターフェース画面を入力・表示部１２０に表示させる。なお、画像を表示させることには、演算結果に基づいて画像の要素を生成することと、予め作成された画像の要素を表示画面に割り当てることとが含まれる。
【００２２】
取得部１３０は、治療装置１０から透視画像ＴＩを取得する。また、取得部１３０は、センサ１５の検出値を取得する。また、取得部１３０は、医用検査装置（不図示）から被検体Ｐの三次元ボリュームデータを取得する。ターゲットの位置特定に透視画像ＴＩを参照画像として使用する場合、参照画像作成部１３２は、取得部１３０により取得された透視画像ＴＩに基づいて、ターゲット位置特定に使用される参照画像を生成する。これらについては後に詳述する。
【００２３】
画像処理部１３６は、デフォーマブルレジストレーションや、ＤＲＲ（Digitally Reconstructed Radiograph）画像生成などの画像処理を行う。デフォーマブルレジストレーションとは、時系列の三次元ボリュームデータに対して、ある時点の三次元ボリュームデータについて指定された位置情報を、他の時点の三次元ボリュームデータに展開する処理である。ＤＲＲ画像とは、三次元ボリュームデータに対して、仮想的な放射線源から放射線を当てることで生成される仮想的な透視画像である。
【００２４】
ターゲット位置特定部１４０は、「特定部」の一例である。ターゲット位置特定部１４０は、透視画像ＴＩにおけるターゲット位置を特定する。ターゲット位置とは、被検体Ｐの患部、すなわち治療ビームＢを照射する位置であってもよいし、マーカあるいは被検体Ｐの特徴箇所の位置であってもよい。特徴箇所とは、横隔膜や心臓、骨など、透視画像ＴＩにおいて周囲の箇所との差異が比較的鮮明に現れるため、透視画像ＴＩをコンピュータが解析することで位置を特定しやすい箇所である。ターゲット位置は、一点であってもよいし、二次元または三次元の広がりを持つ領域であってもよい。
【００２５】
出力制御部１５０は、ターゲット位置特定部１４０により特定されたターゲット位置に基づいて、治療装置１０に照射許可信号を出力する。例えば、ゲーテッド照射法では、出力制御部１５０は、ターゲット位置がゲーティングウインドウ内に収まる場合に、治療装置１０にゲートオン信号を出力する。ゲーティングウインドウとは、二次元平面または三次元空間において設定される領域であり、照射許可範囲の一例である。ゲートオン信号とは、被検体Ｐに治療ビームＢを照射することを指示する信号であり、照射許可信号の一例である。以下、これらを前提として説明する。治療装置１０は、ゲートオン信号が入力されている場合、治療ビームＢを照射し、ゲートオン信号が入力されていない場合、治療ビームＢを照射しない。なお、照射許可範囲は、固定的に設定されるものに限らず、患部の移動に追従して移動するものであってもよい。なお、統括制御部１１０および出力制御部１５０は、「制御部」の一例である。
【００２６】
記憶部１６０は、例えば、ＲＡＭ（Random Access Memory）やＲＯＭ（Read Only Memory）、ＨＤＤ（Hard Disk Drive）、フラッシュメモリなどにより実現される。記憶部１６０には、前述したプログラムの他、時系列の三次元ＣＴ画像（以下、４ＤＣＴ画像）、透視画像ＴＩ、センサ１５の出力値などが格納される。例えば、記憶部１６０は、画像記憶用メモリ１６２およびバックアップ用ストレージ装置１６４を含む。画像記憶用メモリ１６２は、「メモリ」の一例である。バックアップ用ストレージ装置１６４は、「ストレージ装置」の一例である。画像記憶用メモリ１６２およびバックアップ用ストレージ装置１６４は、例えば、ＲＡＭやＲＯＭ、ＨＤＤ、フラッシュメモリなどにより実現される。例えば、画像記憶用メモリ１６２は、撮影された透視画像ＴＩを一時的に記憶する。例えば、バックアップ用ストレージ装置１６４は、治療が終了した後に、画像記憶用メモリ１６２に一時的に格納された透視画像ＴＩをバックアップとして記憶する。なお、上記のとおり、記憶部１６０には、前述したプログラムや４ＤＣＴ画像なども格納される。
【００２７】
＜治療の流れ＞
以下、治療システム１における治療の流れについて説明する。以下では、マーカを使用しない内部呼吸同期であるマーカレス追跡に基づく治療が行われることを前提として説明するが、マーカが使用される内部呼吸同期であるマーカ追跡や外部呼吸同期などに基づく治療が行われてもよい。なお、マーカレス追跡にはテンプレートマッチング法や機械学習を用いた手法等がある。以下では、テンプレートマッチング法を用いたマーカレス追跡について説明し、照射方法としてゲーテッド照射法を採用するものとして説明する。医用装置１００は、テンプレートマッチング法と、機械学習を用いた手法とを切り替え可能であってもよい。
【００２８】
図２は、治療システム１における治療の流れの一例を示すフローチャートである。治療は、大きく計画段階（ステップＳ１００）、位置決め段階（ステップＳ１１０）、準備段階（ステップＳ１２０）、および治療段階（ステップＳ１３０）に分けられる。準備段階は、さらに参照画像作成段階（ステップＳ１２２）および追跡条件設定段階（ステップＳ１２４）に分けられる。以下、各段階の概要について説明する。
【００２９】
［計画段階］
計画段階（ステップＳ１００）において、まず、被検体ＰのＣＴ撮影が行われる。ＣＴ撮影では、様々な呼吸位相毎に、様々な方向から被検体Ｐが撮影される。次に、ＣＴ撮影の結果に基づいて４ＤＣＴ画像が生成される。４ＤＣＴ画像は、三次元のＣＴ画像（前述した三次元ボリュームデータの一例）を時系列にｎ個並べたものである。このｎ個および時系列画像の時間間隔を乗算して求められる期間は、例えば、呼吸位相が１周期分変化する期間をカバーするように設定される。４ＤＣＴ画像は、記憶部１６０に格納される。
【００３０】
次に、医師や放射線技師などが、ｎ個のＣＴ画像のうち、例えば１つのＣＴ画像に対して、輪郭を入力する。この輪郭は、患部である腫瘍の輪郭や治療ビームＢを照射したくない臓器の輪郭等である。次に、例えば画像処理部１３６が、デフォーマブルレジストレーションによって、ｎ個のＣＴ画像のそれぞれについて輪郭を設定する。次に、治療計画が決定される。治療計画とは、設定された輪郭情報に基づいて、患部がどの位置にあるときに、どこに、どの方向から、どれだけの治療ビームＢを照射するかを規定するものであり、ゲーテッド照射法や追尾照射法などの治療法に応じて決定される。なお、計画段階の処理の一部または全部は、外部装置によって実行されてもよい。例えば、４ＤＣＴ画像を生成する処理は、ＣＴ装置によって実行されてもよい。
【００３１】
ここで、腫瘍の輪郭で区画される領域や、その領域の重心、或いは被検体Ｐの特徴箇所の位置などがターゲット位置となる。更に、治療計画において、ターゲット位置がどの位置にあれば治療ビームＢを照射してよいのかが決定される。デフォーマブルレジストレーションによって輪郭が設定された際に、ターゲット位置に対してマージンが自動的に、または手動で設定され、マージンを反映させてゲーティングウインドウが設定される。このマージンは、装置や位置決めの誤差などを吸収するためのものである。
【００３２】
［位置決め段階］
位置決め段階（ステップＳ１１０）においては、寝台位置の調整が行われる。被検体Ｐは寝台１１に寝かされ、シェル等で固定される。まず、寝台位置の粗い調整が行われる。この段階において、作業者が、被検体Ｐの位置と姿勢を目視で確認し、照射門１４からの治療ビームＢが当たりそうな位置へ寝台１１を動かす。これにより、寝台１１の位置が粗く調整される。次に、寝台位置を細かく調整するために利用する画像が撮影される。例えば、３Ｄ−２Ｄレジストレーションが行われる場合は透視画像ＴＩが撮影される。透視画像ＴＩは、例えば被検体Ｐが息を吐き切ったタイミングで撮影される。寝台１１の位置は粗く調整済みであるため、透視画像ＴＩには、被検体Ｐの患部付近が写っている。
【００３３】
３Ｄ−２Ｄレジストレーションが行われる場合、この段階において、放射線源１２−１、１２−２、検出器１３−１、１３−２、および被検体Ｐの治療計画情報を使用して三次元ボリュームデータからＤＲＲ画像が生成される。ＤＲＲ画像と透視画像ＴＩに基づいて寝台移動量が算出され、寝台１１が移動させられる。透視画像ＴＩの撮影、寝台移動量算出、寝台１１の移動を繰り返すことで、寝台１１の位置が細かく調整される。
【００３４】
［準備段階（その１：参照画像作成段階）］
位置決め段階が終了すると、準備段階（ステップＳ１２０）に移行する。準備段階のうち参照画像作成段階（ステップＳ１２２）では、参照画像が作成される。まず、４ＤＣＴ画像から各位相のＤＲＲ画像が作成される。ＤＲＲ画像の作成は４ＤＣＴ画像撮影以降であればいつ実施してもよい。このとき、治療計画において設定されたゲーティングウインドウを射影した位置がＤＲＲ上のゲーティングウインドウとして設定される。準備段階では、まず参照画像を作成するための透視画像ＴＩの撮影が行われる。例えば、参照画像作成段階では、撮影開始後、所定期間だけ撮影が行われる。例えば、予め指定された呼吸周期分の期間だけ撮影が行われる。例えば、参照画像とターゲット位置ＰＴとの関係が学習されるのに必要十分な、ｋ回の呼吸分の透視画像ＴＩが撮影される。透視画像ＴＩは、例えば、被検体Ｐの２呼吸分をカバーするように撮影される。また、被検体Ｐが深呼吸を行う間、被検体Ｐの外部呼吸波形が、透視画像ＴＩと同期して取得される。取得された外部呼吸波形は、表示制御部１２４により入力・表示部１２０に表示される。撮影された透視画像ＴＩには、画像処理部１３６がＤＲＲ画像のターゲット位置に基づいて導出した透視画像ＴＩ上の追跡値が対応付けられる。なお、追跡値は、外部呼吸波形から求められてもよい。
【００３５】
また、この段階において、透視画像ＴＩとターゲット位置との関係が学習され、更に、医師によるターゲット位置の修正が受け付けられる。そして、ターゲット位置が学習された透視画像ＴＩの中から、追跡値に基づいて、一つ以上のテンプレート（参照画像）が選択される。テンプレートは、透視画像ＴＩの特徴的な一部を切り出したものであってよい。ターゲット位置の学習は、計画段階から治療段階までの間の、いずれのタイミングで実施されてもよい。
【００３６】
［準備段階（その２：追跡条件設定段階）］
次いで、準備段階のうち追跡条件設定段階（ステップＳ１２４）においては、ターゲット位置の追跡の確認およびゲートオン信号の出力タイミングの確認が行われる。まず、透視画像ＴＩの撮影が開始される。ターゲット位置特定部１４０は、時系列で入力される透視画像ＴＩに対してテンプレートとのマッチングを行い、透視画像ＴＩに対してターゲット位置を割り付ける。表示制御部１２４は、透視画像ＴＩを動画として入力・表示部１２０に表示させながら、ターゲット位置が割り付けられた透視画像ＴＩのフレームにターゲット位置を重畳表示させる。この結果、医師等によりターゲット位置の追跡結果が確認される。
【００３７】
この際に、出力制御部１５０は、透視画像ＴＩ−１、ＴＩ−２の双方に関して、ターゲット位置がゲーティングウインドウ内に収まっているか否かを判定する。治療段階では、ターゲット位置がゲーティングウインドウ内に収まっている場合にゲートオン信号が治療装置１０に出力されるのであるが、準備段階では、ゲートオン信号の出力の有無が統括制御部１１０を介して表示制御部１２４に伝えられる。表示制御部１２４は、動画の表示に併せてゲートオン信号の出力の有無を入力・表示部１２０に表示させる。この結果、医師等によりゲートオン信号の出力タイミングが確認される。
【００３８】
［治療段階］
治療段階（ステップＳ１３０）では、出力制御部１５０が、透視画像ＴＩ−１、ＴＩ−２の双方に関して、ターゲット位置がゲーティングウインドウ内に収まっている場合にゲートオン信号を治療装置１０に出力する。これによって、治療ビームＢが被検体Ｐの患部に照射され、治療が行われる。なお、ターゲット位置が患部の位置である場合には、追跡したターゲット位置がゲーティングウインドウ内に収まっている場合に治療ビームＢは照射され、ターゲット位置が被検体Ｐの特徴箇所の位置である場合には、予め学習されたターゲット位置と患部の位置との関係に基づいて、ターゲット位置から導出された患部の位置がゲーティングウインドウ内に収まっている場合に治療ビームＢが照射される。なお、これらの複合手法によって患部の位置に治療ビームＢが照射されてもよい。すなわち、ターゲット位置として患部の位置と、特徴箇所の位置とをそれぞれ設定しておき、患部が第１ゲーティングウインドウに収まり、特徴箇所が第２ゲーティングウインドウに収まる場合に治療ビームＢを照射するようにしてもよい。
【００３９】
＜表示画像、フローチャート＞
以下、上記説明した治療の流れをサポートするための、医用装置１００の処理について説明する。
【００４０】
図３は、医用装置１００の入力・表示部１２０により表示されるインターフェース画像ＩＭの一例を示す図である。インターフェース画像ＩＭは、例えば、領域Ａ１−１、Ａ１−２、Ａ２、Ａ３、Ａ４、Ａ５、Ａ６、およびＡ７を含む。
【００４１】
領域Ａ１−１では、透視画像ＴＩ−１に対してゲーティングウインドウＧＷやターゲット位置ＰＴが重畳表示される。領域Ａ１−２では、透視画像ＴＩ−２に対してゲーティングウインドウＧＷやターゲット位置ＰＴが重畳表示される。領域Ａ２には、各種グラフなどが表示される。
【００４２】
領域Ａ３には、モードなどの選択を受け付けるセレクトウインドウＳＷ、ゲートオン信号の出力の有無を示すためのアイコンウインドウＩＷ、透視画像ＴＩの撮影開始または撮影停止を指示するための第１ボタンＢ１、透視画像ＴＩの撮影の一時停止または撮影再開を指示するための第２ボタンＢ２、治療セッションの終了を指示するための第３ボタンＢ３、時系列のＤＲＲ画像や透視画像ＴＩを遡って確認するためのスライドバーやコマ送りスイッチなどが設定されたコントロールエリアＣＡ、準備段階が完了したことを確認するためのチェックボックスＣＢなどが設定される。インターフェース画像ＩＭの各部に対する操作は、例えば、タッチ操作、マウスによるクリック、あるいはキーボード操作などにより行われる。例えば、第１ボタンＢ１は、タッチ操作またはマウスによるクリックによって操作される。
【００４３】
図４は、第１ボタンＢ１、第２ボタンＢ２、および第３ボタンＢ３の表示態様の変化を示す図である。例えば、図示するように、第１ボタンＢ１は、初期状態で、撮影が「ＯＦＦ」すなわち停止している状態を示すと共に、「撮影開始」の指示を受け付ける第１態様となっている。第１ボタンＢ１が操作されると、撮影が「ＯＮ」すなわち実行されている状態を示すと共に、「撮影停止」の指示を受け付ける第２態様に変化する。第１ボタンＢ１は、これらの二つの態様の間で状態遷移する。例えば、統括制御部１１０は、表示制御部１２４に指示して、初期状態で、「ＯＦＦ」および「撮影開始」の文字を含む第１ボタンＢ１の画像を入力・表示部１２０に表示させる。例えば、第１ボタンＢ１が操作されると、統括制御部１１０は、表示制御部１２４に指示して、「ＯＮ」および「撮影停止」の文字を含む第１ボタンＢ１の画像を入力・表示部１２０に表示させる。
【００４４】
第２ボタンＢ２は、初期状態で、操作されると撮影の「一時停止」の指示を受け付ける第３態様となっている。第２ボタンＢ２は、操作されると、「撮影再開」の指示を受け付ける第４態様に変化する。例えば、統括制御部１１０は、表示制御部１２４に指示して、初期状態で、「一時停止」の文字を含む第２ボタンＢ２の画像を入力・表示部１２０に表示させる。例えば、第２ボタンＢ２が操作されると、統括制御部１１０は、表示制御部１２４に指示して、「撮影再開」の文字を含む第２ボタンＢ２の画像を入力・表示部１２０に表示させる。また、第３ボタンＢ３は、初期状態で、インターフェース画像ＩＭを「閉じる」指示を受け付ける態様となっており、操作されるとインターフェース画像ＩＭの表示が停止され、一連の処理が終了する。ここで、「撮影停止」の指示を受け付ける第１ボタンＢ１の第２態様は、「第１スイッチ」の一例である。「一時停止」の指示を受け付ける第２ボタンＢ２の第３態様は、「第２スイッチ」の一例である。「撮影開始」の指示を受け付ける第１ボタンＢ１の第１態様は、「第３スイッチ」の一例である。第１ボタンＢ１および第２ボタンＢ２の詳細については、後に詳述する。なお、以下では、第１ボタンＢ１および第２ボタンＢ２が操作された場合の入力・表示部１２０における第１ボタンＢ１および第２ボタンＢ２の表示の変更についての説明は省略する。
【００４５】
領域Ａ４には、モードに応じた治療段階が、次のステップに進むことを指示するための第４ボタンＢ４、第５ボタンＢ５、および第６ボタンＢ６が設定される。図５は、第４ボタンＢ４、第５ボタンＢ５、および第６ボタンＢ６の内容を示す図である。例えば、第４ボタンＢ４は、レジストレーション（透視画像ＴＩにおけるターゲット位置ＰＴの学習）の指示を受け付け、第５ボタンＢ５は、参照画像の作成指示を受け付け、第６ボタンＢ６はゲートオン信号の確認指示を受け付ける。
【００４６】
領域Ａ５には、センサ１５の出力値に基づく外部呼吸波形のグラフなどが表示される。領域Ａ６には、被検体Ｐの治療計画情報などを示す画像やテキスト情報が表示される。領域Ａ７では、被検体ＰのＣＴ画像の断面に対し、Ｘ線の照射方向、照射野、および治療ビームＢの照射方向、ターゲットの輪郭やマーカＲＯＩ等が重畳表示される。
【００４７】
以下、インターフェース画像ＩＭの各種機能について、参照画像作成段階、追跡条件設定段階、および治療段階についてのフローチャートを参照しながら説明する。図６は、準備段階（ステップＳ１２０）のうち参照画像作成段階（ステップＳ１２２）において、医用装置１００により実行される処理の流れの一例を示すフローチャートである。位置決め段階（ステップＳ１１０）の後、まず、統括制御部１１０は、入力操作取得部１２２から入力される情報を参照し、第１ボタンＢ１の操作によって「撮影開始」が選択されたか否かを判定する（ステップＳ２００）。なお、以降の説明において、医用装置１００に対する操作がなされたことを検知する際には、統括制御部１１０が入力操作取得部１２２から入力される情報を参照して判断するものとし、都度の説明を省略する。
【００４８】
第１ボタンＢ１の操作によって「撮影開始」が選択されたと判定した場合、統括制御部１１０は、出力制御部１５０に、透視画像ＴＩの撮影を治療装置１０に指示させる（ステップＳ２０２）。取得部１３０は、撮影された透視画像ＴＩを取得し、画像記憶用メモリ１６２に格納させる。なお、出力制御部１５０は、第１ボタンＢ１が再度操作されたときに撮影を終了する指示を治療装置１０に出力してもよい。このように、出力制御部１５０は、入力操作取得部１２２により取得された入力操作の内容に応じて、治療装置１０の撮影部（放射線源１２−１、１２−２、検出器１３−１、１３−２）への動作指示を出力する。これによって、医用装置１００によって治療装置１０を含めた治療システム１の動作を一元的に管理することができ、利便性が向上する。
【００４９】
次に、統括制御部１１０は、撮影開始から予め指定された所定期間が経過したか否かを判定する（ステップＳ２０４）。例えば、所定期間とは、呼吸周期の所定回数分の期間である。呼吸周期は一連の透視画像ＴＩの周期的な変化として現れるので、統括制御部１１０は、透視画像ＴＩに基づき、上記の所定期間が経過したか否かを判定することができる。すなわち、統括制御部１１０は、例えば、画像処理部１３６に指示して、一連の透視画像ＴＩの比較対照により、透視画像ＴＩの周期的な変化が撮影開始から何回現れたかをリアルタイムで判定させる。例えば、上記の所定期間がｋ回の呼吸周期分の期間である場合、統括制御部１１０は、画像処理部１３６が撮影開始からｋ回目の周期的な変化が透視画像ＴＩに現れたと判定した場合に、撮影開始から所定期間が経過したと判定する。
【００５０】
統括制御部１１０は、撮影開始から所定期間が経過していると判定した場合、出力制御部１５０に、透視画像ＴＩの撮影の停止を治療装置１０に指示させる（ステップＳ２０６）。また、統括制御部１１０は、画像記憶用メモリ１６２に格納された透視画像ＴＩの少なくとも一部をバックアップ用ストレージ装置１６４に転送する（ステップＳ２０８；以下、「バックアップ処理」と称する。）。このようなバックアップ処理は、例えば、装置の故障などにより治療データが読み出せなくなったり消えてしまったりといった場合に備えて、透視画像ＴＩのデータのバックアップを取る目的で行われる。統括制御部１１０は、上記のようなバックアップ処理を行うと共に、取得部１３０を、仮に撮影部３０が取得部１３０に透視画像ＴＩを送った場合でも透視画像ＴＩを受け付けない状態に制御する。すなわち、統括制御部１１０は、取得部１３０による透視画像ＴＩの取得を停止させる。
【００５１】
一方、統括制御部１１０は、撮影開始から所定期間が経過していないと判定した場合、第１ボタンＢ１の操作によって「撮影停止」が選択されたか否かを判定する（ステップＳ２１０）。統括制御部１１０は、第１ボタンＢ１の操作によって「撮影停止」が選択されたと判定した場合、出力制御部１５０に、透視画像ＴＩの撮影の停止を治療装置１０に指示させる（ステップＳ２０６）。また、統括制御部１１０は、バックアップ処理を行うと共に、取得部１３０による透視画像ＴＩの取得を停止させる（ステップＳ２０８）。
【００５２】
統括制御部１１０は、第１ボタンＢ１の操作によって「撮影停止」が選択されなかったと判定した場合、第２ボタンＢ２の操作によって撮影の「一時停止」が選択されたか否かを判定する（ステップＳ２１２）。統括制御部１１０は、第２ボタンＢ２の操作によって撮影の「一時停止」が選択されたと判定した場合、出力制御部１５０に、透視画像ＴＩの撮影の停止を治療装置１０に指示させる（ステップＳ２１４）。ただし、統括制御部１１０は、上記のようなバックアップ処理は行わない。
【００５３】
この場合、統括制御部１１０は、取得部１３０を、撮影部３０からの透視画像ＴＩを受け付けない状態に制御しない。すなわち、統括制御部１１０は、取得部１３０による透視画像ＴＩの取得を停止させない。このため、取得部１３０は、撮影部３０が取得部１３０に透視画像ＴＩを送った場合には透視画像ＴＩを受け付ける状態のままである。なお、統括制御部１１０は、第２ボタンＢ２の操作によって撮影の「一時停止」が選択されなかったと判定した場合、ステップＳ２０４に戻り、撮影開始から予め指定された所定期間が経過したか否かを判定する。
【００５４】
撮影の一時停止が行われた後、統括制御部１１０は、第１ボタンＢ１の操作によって「撮影停止」が選択されたか否かを判定する（ステップＳ２１６）。統括制御部１１０は、第１ボタンＢ１の操作によって「撮影停止」が選択されたと判定した場合、バックアップ処理を行うと共に、取得部１３０による透視画像ＴＩの取得を停止させる（ステップＳ２０８）。
【００５５】
統括制御部１１０は、第１ボタンＢ１の操作によって「撮影停止」が選択されなかったと判定した場合、第２ボタンＢ２の操作によって「撮影再開」が選択されたか否かを判定する（ステップＳ２１８）。統括制御部１１０は、第２ボタンＢ２の操作によって「撮影再開」が選択されたと判定した場合、出力制御部１５０に、透視画像ＴＩの撮影の再開を治療装置１０に指示させる（ステップＳ２２０）。その後、統括制御部１１０は、ステップＳ２０４に戻り、撮影開始から予め指定された所定期間が経過したか否かを判定する。なお、統括制御部１１０は、第２ボタンＢ２の操作によって「撮影再開」が選択されなかったと判定した場合、ステップＳ２１６に戻り、第１ボタンＢ１の操作によって「撮影停止」が選択されたか否かを判定する。
【００５６】
なお、統括制御部１１０は、ステップＳ２０４において所定期間が経過したと判定した場合、またはステップＳ２１０もしくはステップＳ２１６において第１ボタンＢ１の操作によって「撮影停止」が選択されたと判定した場合、ステップＳ２０８において、出力制御部１５０に、放射線ｒ−１およびｒ−２の照射が可能である状態の終了を治療装置１０に指示させてもよい。放射線の照射が可能である状態とは、放射線の照射指示を受け付けると直ちに放射線を照射することができる状態を意味する。出力制御部１５０が、放射線ｒ−１およびｒ−２の照射が可能である状態の終了を治療装置１０に指示すると、治療装置１０は、例えば、放射線源１２−１および１２−２の同期制御を停止する。この場合、放射線ｒ−１およびｒ−２の照射を再開するためには放射線源１２−１および１２−２の同期信号の初期化などが必要となり得る。上記のように放射線ｒ−１およびｒ−２の照射が可能である状態が終了すると、治療装置１０は、放射線ｒ−１およびｒ−２の照射指示（すなわち、透視画像ＴＩの撮影指示）を受け付けない状態になる。なお、統括制御部１１０は、ステップＳ２０４において所定期間が経過したと判定した場合にのみ、出力制御部１５０に、放射線の照射が可能である状態の終了を治療装置１０に指示させてもよい。逆に、統括制御部１１０は、ステップＳ２１０もしくはステップＳ２１６において第１ボタンＢ１の操作によって「撮影停止」が選択されたと判定した場合にのみ、出力制御部１５０に、放射線の照射が可能である状態の終了を治療装置１０に指示させてもよい。
【００５７】
一方、統括制御部１１０は、ステップＳ２１２において第２ボタンＢ２の操作によって「一時停止」が選択されたと判定した場合、ステップＳ２１４において、出力制御部１５０に、放射線ｒ−１およびｒ−２の照射が可能である状態を維持しつつ放射線ｒ−１およびｒ−２の照射を停止するように治療装置１０に指示させてもよい。この場合、治療装置１０は、例えば、放射線源１２−１および１２−２の同期制御を維持することにより、放射線源１２−１および１２−２との通信が確立された状態を保つ。これにより、放射線源１２−１および１２−２は、放射線の照射指示に応答して、上記のような同期信号の初期化などを行うことなく直ちに放射線ｒ−１およびｒ−２を照射することができる状態に維持される。
【００５８】
次に、統括制御部１１０は、第４ボタンＢ４の操作によってレジストレーションが指示されたか否かを判定する（ステップＳ２２２）。
【００５９】
第４ボタンＢ４の操作によってレジストレーションが指示されると、統括制御部１１０は、画像処理部１３６に指示してＤＲＲ画像におけるターゲット位置ＰＴから透視画像ＴＩにおけるターゲット位置を求め、得られたターゲット位置ＰＴを透視画像ＴＩに重畳させて入力・表示部１２０に表示させるように表示制御部１２４に指示する（ステップＳ２２４）。前述したように、画像処理部１３６は、計画段階で撮影されたＣＴ画像から作成したＤＲＲ画像や、計画段階以降に撮影された透視画像ＴＩに基づいて、ターゲット位置ＰＴが既知であるＤＲＲ画像と、透視画像ＴＩとの間で画像の特徴部位をマッチングする処理などを行って、透視画像ＴＩにおけるターゲット位置ＰＴを導出する。透視画像ＴＩとターゲット位置ＰＴの関係は、参照画像作成部１３２に提供される。また、透視画像ＴＩにターゲット位置ＰＴが重畳した画像は、例えば、インターフェース画像ＩＭの領域Ａ１−１、Ａ１−２に表示される。この状態で、統括制御部１１０は、ターゲット位置ＰＴの調整を受け付ける（ステップＳ２２６）。ターゲット位置ＰＴの調整は、例えば領域Ａ１−１、Ａ１−２に対するドラッグ／ドロップ操作によって行われる。ターゲット位置ＰＴの調整が行われると、統括制御部１１０は、調整された透視画像ＴＩとターゲット位置ＰＴの関係を参照画像作成部１３２に提供する。
【００６０】
次に、統括制御部１１０は、第５ボタンＢ５の操作によって参照画像の作成が指示されたか否かを判定する（ステップＳ２２８）。第５ボタンＢ５が操作されると、統括制御部１１０は、参照画像作成部１３２に指示し、参照画像として用いる透視画像ＴＩを選択し、リサイズなどの処理を行って、参照画像を作成する（ステップＳ２３０）。参照画像作成部１３２は、ターゲット位置ＰＴが対応づけられた参照画像（テンプレート）を作成し、記憶部１６０に記憶させる。
【００６１】
図７は、準備段階（ステップＳ１２０）のうち追跡条件設定段階（ステップＳ１２４）において、医用装置１００により実行される処理の流れの一例を示すフローチャートである。まず、統括制御部１１０は、第６ボタンＢ６の操作によってゲートオン信号の確認が指示されたか否かを判定する（ステップＳ３００）。ゲートオン信号の確認が指示されると、統括制御部１１０は、表示制御部１２４に指示し、チェックボックスＣＢに「レ」（チェック）を入れた状態に変更させ、ゲートオン信号の出力タイミングを入力・表示部１２０に表示させる（ステップＳ３０２）。チェックボックスＣＢに「レ」が入った状態では、ゲートオン信号の出力タイミングは計算されて表示されるが、実際にゲートオン信号は治療装置１０に出力されない。なお、チェックボックスＣＢは、「レ」を入れた状態に手動で変更されてもよい。
【００６２】
次に、統括制御部１１０は、第１ボタンＢ１の操作によって「撮影開始」が選択されたか否かを判定する（ステップＳ３０４）。第１ボタンＢ１の操作によって「撮影開始」が選択されると、統括制御部１１０は、出力制御部１５０に指示し、透視画像ＴＩの撮影を治療装置１０に指示すると共に、表示制御部１２４に指示し、撮影された透視画像ＴＩを用いた確認画像を入力・表示部１２０に表示させる（ステップＳ３０６）。また、取得部１３０は、撮影された透視画像ＴＩを取得し、画像記憶用メモリ１６２に格納させる。なお、本実施形態では、追跡条件設定段階において、参照画像作成段階のように撮影開始から所定期間が経過すると自動的に撮影が停止される制御は行われない。ただし、このような制御が追跡条件設定段階で行われてもよい。
【００６３】
確認画像は、領域ＡＩ−１、ＡＩ−２に表示される。確認画像は、動画として再生される透視画像ＴＩに対して、ターゲット位置ＰＴやゲーティングウインドウＧＷが重畳された画像である（図３参照）。また、出力制御部１５０は、ターゲット位置ＰＴがゲーティングウインドウＧＷに収まっている場合に、ゲートオン信号を表示制御部１２４に出力し、領域Ａ２に表示させる。医師等は、この確認画像を視認することで、被検体Ｐの患部などのターゲット位置ＰＴが正しい位置として認識されているかどうか、ターゲット位置ＰＴがゲーティングウインドウＧＷに収まるタイミングは適切かどうか、ゲートオン信号の出力効率等を確認することができる。確認画像は、第１ボタンＢ１の操作によって「撮影停止」が選択されるまで表示される。撮影停止が選択された後も、スライドバーやコマ送りスイッチなどが設定されたコントロールエリアＣＡを操作することで、確認画像を遡って確認することができる。
【００６４】
透視画像ＴＩの撮影が開始された後、統括制御部１１０は、参照画像作成段階におけるステップＳ２０８からステップＳ２２０と同様の処理を行う。すなわち、統括制御部１１０は、第１ボタンＢ１の操作によって「撮影停止」が選択されたか否かを判定する（ステップＳ３０８）。統括制御部１１０は、第１ボタンＢ１の操作によって「撮影停止」が選択されたと判定した場合、出力制御部１５０に、透視画像ＴＩの撮影の停止を治療装置１０に指示させる（ステップＳ３１０）。これに伴い、統括制御部１１０は、表示制御部１２４に指示し、入力・表示部１２０における確認画像およびゲート音信号の出力の有無の表示を停止する。このとき、停止時点での表示が入力・表示部１２０に表示されたままになっていてよい。また、統括制御部１１０は、バックアップ処理を行うと共に、取得部１３０による透視画像ＴＩの取得を停止させる（ステップＳ３１２）。一方、統括制御部１１０は、第１ボタンＢ１の操作によって「撮影停止」が選択されなかったと判定し、かつ第２ボタンＢ２の操作によって撮影の「一時停止」が選択されたと判定した場合（ステップＳ３１４）、出力制御部１５０に、透視画像ＴＩの撮影の停止を治療装置１０に指示させるが、バックアップ処理を行わない（ステップＳ３１６）。この場合、統括制御部１１０は、取得部１３０による透視画像ＴＩの取得を停止させないが、「撮影停止」の場合と同様に、表示制御部１２４に指示し、入力・表示部１２０における確認画像およびゲート音信号の出力の有無の表示を停止する。統括制御部１１０は、撮影の一時停止中に第１ボタンＢ１の操作によって「撮影停止」が選択されたと判定した場合（ステップＳ３１８）、バックアップ処理を行うと共に、取得部１３０による透視画像ＴＩの取得を停止させる（ステップＳ３１２）。統括制御部１１０は、撮影の一時停止中に第２ボタンＢ２の操作によって「撮影再開」が選択されたと判定した場合、出力制御部１５０に、透視画像ＴＩの撮影の再開を治療装置１０に指示させる（ステップＳ３２０）。これに伴い、統括制御部１１０は、表示制御部１２４に指示し、確認画像およびゲートオン信号の出力の有無を入力・表示部１２０に再び表示させる。その後、統括制御部１１０は、ステップＳ３０８に戻り、第１ボタンＢ１の操作によって「撮影停止」が選択されたか否かを判定する。なお、統括制御部１１０は、第１ボタンＢ１の操作によって「撮影停止」が選択されなかったと判定し、かつ第２ボタンＢ２の操作によって撮影の「一時停止」が選択されなかったと判定した場合も、ステップＳ３０８に戻り、第１ボタンＢ１の操作によって「撮影停止」が選択されたか否かを判定する。
【００６５】
なお、上記の参照画像作成段階と同様に、統括制御部１１０は、ステップＳ３０８またはステップＳ３１８において第１ボタンＢ１の操作によって「撮影停止」が選択されたと判定した場合、ステップＳ３１２において、出力制御部１５０に、放射線ｒ−１およびｒ−２の照射が可能である状態の終了を治療装置１０に指示させてもよい。また、統括制御部１１０は、ステップＳ３１４において第１ボタンＢ１の操作によって「一時停止」が選択されたと判定した場合、ステップＳ３１６において、出力制御部１５０に、放射線ｒ−１およびｒ−２の照射が可能である状態を維持しつつ放射線ｒ−１およびｒ−２の照射を停止するように治療装置１０に指示させてもよい。
【００６６】
第１ボタンＢ１の操作によって「撮影停止」が選択されて透視画像ＴＩの取得が停止された後、統括制御部１１０は、チェックボックスＣＢの「レ」が外されているか否かを判定する（ステップＳ３２４）。チェックボックスＣＢの「レ」が外されていない場合、統括制御部１１０は、第１ボタンＢ１の操作によって撮影開始が選択されたか否かを判定する（ステップＳ３２６）。撮影開始が選択された場合は、ステップＳ３０６に処理が戻され、撮影開始が選択されていない場合はステップＳ３２４に処理が戻される。チェックボックスＣＢの「レ」が外されている場合、治療は治療段階（ステップＳ１３０）に進む。
【００６７】
図８は、治療段階（ステップＳ１３０）において、医用装置１００により実行される処理の流れの一例を示すフローチャートである。まず、統括制御部１１０は、治療装置１０から開始信号を受信したか否かを判定する（ステップＳ４００）。この開始信号は、治療装置１０のスイッチ（不図示）が操作されることで治療装置１０が治療開始可能になったときに出力される信号である。治療装置１０から開始信号を受信すると、統括制御部１１０は、治療を開始するように、表示制御部１２４、ターゲット位置特定部１４０および出力制御部１５０に指示する（ステップＳ４０２）。このように、出力制御部１５０は、インターフェース画像ＩＭにおいて、準備段階（追跡条件設定段階）のステップＳ３０２のデフォルト状態を解除状態にする入力操作が入力操作取得部１２２により取得されたことを条件に、治療装置１０にゲートオン信号を出力する。これによって、意図せず治療ビームＢが被検体Ｐに照射されるのを抑制し、治療の信頼性を高めることができる。また、テンプレートの作成が完了すると、準備段階の終了操作を要求することなく、入力操作取得部１２２が治療ビームＢの照射段階への開始指示を受け付ける。これによって、医用装置１００の操作性を向上させることができる。
【００６８】
ターゲット位置特定部１４０は、透視画像ＴＩとテンプレートとのマッチングを行い、ターゲット位置ＰＴを特定する。出力制御部１５０は、ターゲット位置ＰＴがゲーティングウインドウＧＷに収まっている場合にゲートオン信号を治療装置１０に出力する。表示制御部１２４は、透視画像ＴＩにターゲット位置ＰＴやゲーティングウインドウＧＷを重畳させた治療画像を、入力・表示部１２０に表示させる。治療画像は、領域Ａ１−１、Ａ１−２に表示される。取得部１３０は、撮影された透視画像ＴＩを取得し、画像記憶用メモリ１６２に格納させる。治療は、第１ボタンＢ１の操作によって「撮影停止」が選択されるまで継続する。なお、医用装置１００は、治療装置１０から照射完了の信号を受信した場合、或いは、治療装置１０において照射終了操作がなされたことを示す信号を治療装置１０から受信した場合も、治療を終了してよい。このように、入力操作取得部１２２により取得された一単位の入力操作（第１ボタンＢ１の操作）に応じて、出力制御部１５０が治療装置１０の撮影部（放射線源１２−１、１２−２、検出器１３−１、１３−２）への動作指示を出力すると共に、医用装置１００の特定の機能（ターゲット位置特定部１４０など）が起動する。これによって、医用装置１００によって治療装置１０を含めた治療システム１の動作を一元的に管理することができ、利便性が向上する。
【００６９】
透視画像ＴＩの撮影およびゲートオン信号の出力が開始された後、統括制御部１１０は、第１ボタンＢ１の操作によって「撮影停止」が選択されたか否かを判定する（ステップＳ４０４）。統括制御部１１０は、第１ボタンＢ１の操作によって「撮影停止」が選択されたと判定した場合、出力制御部１５０に、透視画像ＴＩの撮影の停止を治療装置１０に指示させると共にゲートオン信号の出力を停止させる（ステップＳ４０６）。また、統括制御部１１０は、バックアップ処理を行うと共に、取得部１３０による透視画像ＴＩの取得を停止させる（ステップＳ４０８）。その後、統括制御部１１０は、第１ボタンＢ１の操作によって「撮影開始」が選択されたか否かを判定する（ステップＳ４１０）。統括制御部１１０は、第１ボタンＢ１の操作によって「撮影開始」が選択されたと判定した場合、ステップＳ４０２に戻り、出力制御部１５０に、透視画像ＴＩの撮影を治療装置１０に指示させると共にゲートオン信号の出力を開始させる。すなわち、透視画像ＴＩの撮影およびゲートオン信号の出力が停止された場合でも、第１ボタンＢ１の操作によって「撮影開始」が選択されると、再び透視画像ＴＩの撮影およびゲートオン信号の出力が開始され、治療が再開される。
【００７０】
一方、統括制御部１１０は、ステップＳ４０４において第１ボタンＢ１の操作によって「撮影停止」が選択されなかったと判定し、かつステップＳ４１２において第２ボタンＢ２の操作によって撮影の「一時停止」が選択されたと判定した場合、出力制御部１５０に、透視画像ＴＩの撮影の停止を治療装置１０に指示させると共にゲートオン信号の出力を停止させるが、バックアップ処理を行わない（ステップＳ４１４）。この場合、統括制御部１１０は、取得部１３０による透視画像ＴＩの取得を停止させない。統括制御部１１０は、撮影の一時停止中に第１ボタンＢ１の操作によって「撮影停止」が選択されたと判定した場合、バックアップ処理を行うと共に、取得部１３０による透視画像ＴＩの取得を停止させる（ステップＳ４０８）。統括制御部１１０は、撮影の一時停止中に第２ボタンＢ２の操作によって「撮影再開」が選択されたと判定した場合、出力制御部１５０に、透視画像ＴＩの撮影を治療装置１０に指示させると共におよびゲートオン信号の出力を再開させる（ステップＳ４２０）。その後、統括制御部１１０は、ステップＳ４０４に戻り、第１ボタンＢ１の操作によって「撮影停止」が選択されたか否かを判定する。
【００７１】
なお、統括制御部１１０は、ステップＳ４０４またはステップＳ４１６において第１ボタンＢ１の操作によって「撮影停止」が選択されたと判定した場合、ステップＳ４０８において、出力制御部１５０に、治療ビームＢの照射が可能である状態の終了を治療装置１０に指示させてもよい。治療ビームの照射が可能である状態とは、ゲートオン信号を受け付けると直ちに治療ビームを照射することができる状態を意味する。治療ビームＢが重粒子線などである場合には、出力制御部１５０が、治療ビームＢの照射が可能である状態の終了を治療装置１０に指示すると、治療装置１０は、例えば、治療ビームＢを発生させる加速器に指示して、治療装置１０への治療ビームＢの供給を停止させる。なお、この場合、加速器が別の治療装置１０へ治療ビームＢを供給できるようにすることも可能である。また、加速器の治療ビームＢを発生させるための機能の少なくとも一部が停止されてもよい。上記のように治療ビームＢの照射が可能である状態が終了すると、治療装置１０は、ゲートオン信号を受け付けない状態になる。
【００７２】
一方、統括制御部１１０は、ステップＳ４１２において第１ボタンＢ１の操作によって「一時停止」が選択されたと判定した場合、ステップＳ４１４において、出力制御部１５０に、治療ビームＢの照射が可能である状態の維持を治療装置１０に指示させてもよい。治療ビームＢが重粒子線などである場合には、出力制御部１５０が、治療ビームＢの照射が可能である状態の維持を治療装置１０に指示すると、治療装置１０は、例えば、治療ビームＢを発生させる加速器に指示して、治療装置１０への治療ビームＢの供給を直ちに再開できる状態を維持させる。この場合、加速器からの治療ビームＢの供給ルートは変更することができない。なお、治療装置１０が治療ビームＢの照射が可能である状態となるタイミングは、医用装置１００が治療装置１０から開始信号を受信する前であればいつでもよい。
【００７３】
なお、治療ビームＢに関する上記制御の他に、上記の参照画像作成段階および追跡条件設定段階と同様に、統括制御部１１０は、ステップＳ４０４またはステップＳ４１２において第１ボタンＢ１の操作によって「撮影停止」が選択されたと判定した場合、ステップＳ４０８において、出力制御部１５０に、放射線ｒ−１およびｒ−２の照射が可能である状態の終了を治療装置１０に指示させてもよい。また、統括制御部１１０は、ステップＳ４１２において第１ボタンＢ１の操作によって「一時停止」が選択されたと判定した場合、ステップＳ４１４において、出力制御部１５０に、放射線ｒ−１およびｒ−２の照射が可能である状態を維持しつつ放射線ｒ−１およびｒ−２の照射を停止するように治療装置１０に指示させてもよい。
【００７４】
表示制御部１２４は、確認画像および治療画像において、ゲートオン信号を出力する際（追跡条件設定段階では出力する条件が成立した際）に、ゲーティングウインドウの色を変更するようにしてもよい。例えば、透視画像ＴＩ−１とＴＩ−２のいずれにおいてもターゲット位置ＰＴがゲーティングウインドウＧＷに収まっていない場合に第１の色、透視画像ＴＩ−１とＴＩ−２のいずれか一方のみにおいてターゲット位置ＰＴがゲーティングウインドウＧＷに収まっている場合に第２の色、透視画像ＴＩ−１とＴＩ−２の双方においてターゲット位置ＰＴがゲーティングウインドウＧＷに収まっている場合に（すなわちゲートオン信号を出力する条件が成立した場合に）第３の色でゲーティングウインドウＧＷの枠線を表示してよい。また、透視画像ＴＩ−１とＴＩ−２のいずれにおいてもターゲット位置ＰＴがゲーティングウインドウＧＷに収まっていない場合には、エラーアイコンを表示してもよい。
【００７５】
また、表示制御部１２４は、ゲートオン信号を出力する条件が成立した場合に、ゲーティングウインドウＧＷの内側領域と外側領域のいずれかの色彩または輝度を変更してもよい。更に、医用装置１００は、ゲートオン信号を出力する条件が成立した場合に、音または振動で通知する通知部を備えてもよい。
【００７６】
また、統括制御部１１０は、表示制御部１２４に指示して、ゲートオン信号が出力されている間、入力・表示部１２０のアイコンウインドウＩＷに、ゲートオン信号が出力されていることを示すアイコン（例えば電球のマーク）を表示させることができる。なお、統括制御部１１０は、追跡条件設定段階においても、表示制御部１２４に指示して、ゲートオン信号を出力する条件が成立している間、アイコンウインドウＩＷに当該アイコンを表示させてもよい。
【００７７】
上記のとおり、透視画像ＴＩの撮影は、治療ビームＢが照射されない段階（例えば準備段階）でも治療ビームＢが照射される段階（例えば治療段階）でも行われるが、準備段階における透視画像ＴＩの撮影のフレームレートは、治療段階における透視画像ＴＩの撮影のフレームレートとは異なっていてもよい。例えば、準備段階における透視画像ＴＩの撮影のフレームレートは、治療段階における透視画像ＴＩの撮影のフレームレートよりも低く設定されてよい。フレームレートとは、透視画像ＴＩの撮影を行う頻度である。フレームレートが高いほど、連続する２回の撮影の時間間隔が短くなるので、撮影される体内の部分の動きが細かく確認され得る。
【００７８】
＜効果＞
このような構成によると、治療の効率性を向上させることができる。すなわち、本実施形態では、医用装置１００は、電磁波を被検体Ｐに照射して撮影することで透視画像ＴＩを生成する撮影部３０から、被検体Ｐの透視画像ＴＩを取得する取得部１３０と、透視画像ＴＩにおける被検体Ｐのターゲット位置ＰＴを特定するターゲット位置特定部１４０と、ターゲット位置特定部１４０により特定されたターゲット位置ＰＴがゲーティングウインドウＧＷ内に収まる場合に、被検体Ｐに治療ビームＢを照射する治療装置１０にゲートオン信号を出力する統括制御部１１０とを備え、統括制御部１１０は、第１ボタンＢ１の第２態様が操作された場合に、撮影部３０に電磁波の照射を停止させると共に取得部１３０による透視画像ＴＩの取得を停止させ、第２ボタンＢ２の第３態様が操作された場合に、撮影部３０に電磁波の照射を停止させると共に取得部１３０による透視画像ＴＩの取得が可能である状態を維持する。このため、医師等は、「撮影停止」と撮影の「一時停止」とを使い分けることができ、透視画像ＴＩの取得を停止させるか否かを選択することができる。医師等が撮影や治療を一時的に中断しようとする場合（例えば、医師等のくしゃみや患者の容体の一時的な異常などが生じた場合）は、第２ボタンＢ２を操作して撮影を一時停止することにより、撮影再開に要する時間が短縮され得る。
これに対し、第２ボタンＢ２を含まない医用装置では、撮影や治療が停止される場合、医師等は、第１ボタンの操作によって撮影を停止する。このため、上記のように医師等が撮影や治療を一時的に中断しようとする場合にも、取得部による透視画像の取得が停止してしまう。この場合、撮影や治療を再開するためには透視画像の取得を改めて開始する必要があるが、透視画像の取得の開始に時間が掛かる場合があり、本実施形態と比較すると、治療の効率性が低下し得る。
【００７９】
本実施形態では、統括制御部１１０は、第１ボタンＢ１の第２態様が操作された場合、取得部１３０により取得され画像記憶用メモリ１６２に格納されていた透視画像ＴＩの情報をバックアップ用ストレージ装置１６４に転送する処理を実行する。このような構成によると、第１ボタンＢ１と第２ボタンＢ２とを使い分けることにより、医師等は、透視画像ＴＩの撮影が停止される場合に、透視画像ＴＩの情報をバックアップ用ストレージ装置１６４に転送する処理を行うか否かを選択することができる。このため、医師等は、例えば、撮影を一時的に中断しようとする場合に、毎回上記のようなバックアップ処理が行われると共に取得部１３０が透視画像ＴＩを受け付けない状態となることを避けることができる。バックアップ処理を行う場合、取得部１３０の透視画像ＴＩの取込み機能が停止することにより撮影再開に時間を要する場合や取得部１３０へ送信されている途中の透視画像ＴＩの取得に失敗する場合があり得るが、上記構成によると、撮影の一時停止が行われる場合にはバックアップ処理を行わないので、治療の効率性が向上し得る。
【００８０】
本実施形態では、統括制御部１１０は、被検体Ｐに治療ビームＢが照射される状態で第１ボタンＢ１の第２態様または第２ボタンＢ２の第３態様が操作された場合に、ゲートオン信号の出力を停止する。このような構成によると、第１ボタンＢ１の第２態様または第２ボタンＢ２の第３態様の操作によって「撮影停止」または撮影の「一時停止」が選択される場合に、ゲートオン信号の出力も併せて停止することができる。このように撮影とゲートオン信号の出力とが連動していることにより、医師等が撮影の停止およびゲートオン信号の出力の停止のために別々のボタンを操作しなければならない場合と比較すると、医師等の手間が省けると共に、患者の被曝量が低減され得る。
【００８１】
本実施形態では、統括制御部１１０は、第１ボタンＢ１の第１態様が操作された場合、準備段階であれば撮影部３０に撮影開始を指示し、治療段階であればゲートオン信号の出力を開始する。このような構成によると、モードによってゲートオン信号の出力の有無が自動的に制御されるので、準備段階で誤って治療ビームＢの照射指示が入力された場合でも、照射指示が遮断され得る。これにより、誤って準備段階で治療ビームＢが照射される可能性を低減することができる。また。医師等は、準備段階と治療段階との両方で、共通の第１ボタンＢ１の操作によって撮影開始を指示することができる。これにより、医用装置１００の利便性が向上し得る。
【００８２】
本実施形態では、統括制御部１１０は、参照画像作成段階において第１ボタンＢ１の第１態様が操作された場合、所定期間の撮影を撮影部３０に指示する。このような構成によると、所定期間の撮影が完了すると自動的に撮影が停止されるので、医師等は、参照画像作成段階において透視画像ＴＩの取得を停止するために第１ボタンＢ１を操作する必要がない。また、医師等が手動で撮影を停止する場合に誤って撮影期間を短くし過ぎる場合があるが、このような事態を防ぐことができる。さらに、参照画像作成のために必要十分な所定期間が予め設定されることにより、毎回安定して参照画像作成を行うことができる。このため、医用装置１００の利便性が向上し得る。
【００８３】
本実施形態では、所定期間は、予め指定された呼吸周期分の期間である。このような構成によると、参照画像が自動的に１以上の呼吸周期分の透視画像ＴＩから作成されるので、参照画像作成に使用されない透視画像ＴＩの数を減らすことができる。これにより、患者の被曝量が低減され得る。
【００８４】
本実施形態では、出力制御部１５０は、第１ボタンＢ１の第２態様が操作された場合に、治療装置１０に電磁波の照射が可能である状態を終了させ、第２ボタンＢ２の第３態様が操作された場合に、治療装置１０に電磁波の照射が可能である状態を維持させる。このような構成によると、医師等は、一時的に治療を止めたい場合に、第２ボタンＢ２の第３態様を操作することにより、治療装置１０を直ちに電磁波の照射が可能である状態に維持させることができる。一旦電磁波の照射が可能である状態が終了されてしまうと、再び電磁波の照射が可能である状態とするのに時間や手間を要し得るが、上記構成のように医師等が「撮影停止」と「一時停止」とを選択することを可能にすることにより、治療の効率性が向上し得る。
【００８５】
本実施形態では、出力制御部１５０は、治療装置１０が治療ビームＢを照射することが可能である状態において、第１ボタンＢ１の第２態様が操作された場合に、治療装置１０に治療ビームＢの照射が可能である状態を終了させ、第２ボタンＢ２の第３態様が操作された場合に、治療装置１０に治療ビームＢの照射が可能である状態を維持させる。このような構成によると、上記と同様に、医師等は、一時的に治療を止めたい場合に、第２ボタンＢ２の第３態様を操作することにより、治療装置１０を直ちに治療ビームＢの照射が可能である状態に維持させることができる。これにより、治療の効率性が向上し得る。
【００８６】
本実施形態では、医用装置１００は、ゲートオン信号が出力されている間、所定のアイコンを入力・表示部１２０に表示させる表示制御部１２４を更に備える。このような構成によると、医師等がゲートオン信号の出力の有無を容易に視認することができる。これにより、入力・表示部１２０により表示されるインターフェース画像ＩＭが医師等にわかりやすいものとなるので、医用装置１００の利便性が向上し得る。
【００８７】
本実施形態では、準備段階における透視画像ＴＩの撮影のフレームレートは、治療段階における透視画像ＴＩの撮影のフレームレートよりも低く設定される。このような構成によると、準備段階におけるフレームレートが低いので、準備段階と治療段階とでフレームレートが共通である場合と比較して、準備段階における患者の被曝量が低減され得る。また、準備段階においてフレームレートを低くする代わりに撮影する期間を長くすることにより、より多くの呼吸周期分の透視画像ＴＩを撮影することができるので、医者等は様々なパターン（例えば、様々な呼吸の深さ）の呼吸周期の透視画像ＴＩを観察することができる。これにより、医者等は、撮影枚数を増やさずに最適な参照画像を作成することができるので、参照画像作成の効率性が向上し得る。
【００８８】
＜変形例＞
上記実施形態で例示したフローチャートにおける各ステップは、その性質に反しない限り、実行順序が変更され、複数同時に実施され、あるいは実施毎に異なった順序で実施されてもよい。
【００８９】
また、上記実施形態では、治療装置１０と医用装置１００が別体の装置であるように説明したが、治療装置１０と医用装置１００は一体の装置であってもよい。また、治療装置１０と医用装置１００が別体の装置である場合において、治療装置側制御部２０は、医用装置１００に内蔵される機能であってもよい。
【００９０】
治療計画用に用いる画像は、４ＤＣＴ画像に限られず、他の３次元ボリュームデータの動画を用いてもよい。例えば、磁気共鳴画像（ＭＲＩ：Magnetic Resonance Imaging）の動画でもよい。
【００９１】
上記実施形態では、参照画像作成段階、追跡条件設定段階、および治療段階について説明したが、その他の段階においても上記の動作を適用することができる。例えば、位置決め段階において、第１ボタンＢ１および第２ボタンＢ２の操作に応じて医用装置１００により実行される処理の流れは、上記追跡条件設定段階について説明した処理の流れと同様であってよい。
【００９２】
上記実施形態では、第１ボタンＢ１の操作によって「撮影開始」および「撮影停止」の両方の指示が可能であるが、「撮影開始」に対応するボタンと「撮影停止」に対応するボタンとが１つずつ設けられてもよい。同様に、上記実施形態では、第２ボタンＢ２の操作によって「一時停止」および「撮影再開」の両方の指示が可能であるが、「一時停止」に対応するボタンと「撮影再開」に対応するボタンとが１つずつ設けられてもよい。この場合、「撮影停止」に対応するボタンが「第１スイッチ」の一例であり、「一時停止」に対応するボタンが「第２スイッチ」の一例であり、「撮影開始」に対応するボタンが「第３スイッチ」の一例である。また、上記実施形態では、参照画像作成段階において、画像処理部１３６が透視画像ＴＩの比較対照を行うことによって、撮影開始から所定期間が経過したかどうかが判定されるが、統括制御部１１０は、被検体Ｐの外部呼吸位相を認識するセンサ１５からの情報を利用して、撮影開始から予め指定された所定期間が経過したか否かを判定してもよい。また、上記実施形態では、参照画像作成段階において、透視画像ＴＩの撮影開始から所定期間が経過した後自動的に透視画像ＴＩの撮影が停止されるが、このような自動停止が実行されずに、医師等が手動で撮影を停止してもよい。また、上記実施形態では、参照画像作成段階において、所定期間の経過により透視画像ＴＩの取得が停止された場合だけでなく、所定期間の経過前に医師等が第１ボタンＢ１の操作によって撮影停止を選択することにより透視画像ＴＩの取得が停止された場合でも、取得された透視画像ＴＩが参照画像として使用される。しかしながら、後者の場合の透視画像ＴＩは、参照画像として使用されなくてもよい。
【００９３】
上記実施形態では、統括制御部１１０は、「撮影停止」が選択された場合には取得部１３０に透視画像ＴＩの取得を停止させ、「一時停止」が選択された場合には取得部１３０に透視画像ＴＩの取得を停止させない。これに加えて、上記では、「撮影停止」および「一時停止」の選択に応じて電磁波や治療ビームＢの照射が可能である状態の制御がさらに行われてもよい旨を説明した。しかしながら、別の実施形態においては、「撮影停止」が選択された場合には統括制御部１１０が治療装置１０に電磁波および治療ビームＢのうち一方または両方の照射が可能である状態を終了させるとともに、「一時停止」が選択された場合には統括制御部１１０が治療装置１０に電磁波および治療ビームＢのうち一方または両方の照射が可能である状態を維持させる一方で、「撮影停止」および「一時停止」の選択に応じて透視画像ＴＩの取得停止の制御が行われなくてもよい。すなわち、別の実施形態においては、統括制御部１１０は、取得部１３０に透視画像ＴＩの取得を停止させてもよく、停止させなくてもよい。
【００９４】
上記実施形態で説明した医用装置の制御方法は、コンピュータが、電磁波を被検体に照射して撮影することで透視画像を生成する撮影装置から、前記被検体の透視画像を取得し、前記透視画像における前記被検体のターゲット位置を特定し、前記特定されたターゲット位置がゲーティングウインドウ内に収まる場合に、前記被検体に治療ビームを照射する治療装置にゲートオン信号を出力し、第１スイッチが操作された場合に、前記撮影装置に前記電磁波の照射を停止させると共に前記透視画像の取得を停止し、第２スイッチが操作された場合に、前記撮影装置に前記電磁波の照射を停止させると共に前記透視画像の取得が可能である状態を維持する、医用装置の制御方法である。
【００９５】
上記実施形態で説明した医用プログラムは、コンピュータに、電磁波を被検体に照射して撮影することで透視画像を生成する撮影装置から、前記被検体の透視画像を取得させ、前記透視画像における前記被検体のターゲット位置を特定させ、前記特定されたターゲット位置がゲーティングウインドウ内に収まる場合に、前記被検体に治療ビームを照射する治療装置にゲートオン信号を出力させ、第１スイッチが操作された場合に、前記撮影装置に前記電磁波の照射を停止させると共に前記透視画像の取得を停止させ、第２スイッチが操作された場合に、前記撮影装置に前記電磁波の照射を停止させると共に前記透視画像の取得が可能である状態を維持させる、医用プログラムである。
【００９６】
以上説明した少なくともひとつの実施形態によれば、統括制御部は、第１ボタンの第２態様が操作された場合に、撮影部に電磁波の照射を停止させると共に取得部による透視画像の取得を停止させ、第２ボタンの第３態様が操作された場合に、撮影部に電磁波の照射を停止させると共に取得部による透視画像の取得が可能である状態を維持することにより、治療の効率性を向上させることができる。
【００９７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９８】
１０…治療装置、３０…撮影部、１００…医用装置、１１０…統括制御部、１２０…入力・表示部、１２４…表示制御部、１３０…取得部、１４０…ターゲット位置特定部、１５０…出力制御部、１６０…記憶部、１６２…画像記憶用メモリ、１６４…バックアップ用ストレージ装置、Ｐ…被検体、ＴＩ…透視画像、Ｂ…治療ビーム、ＰＴ…ターゲット位置、ＧＷ…ゲーティングウインドウ、Ｂ１…第１ボタン、Ｂ２…第２ボタン。
【図１】
2019107396.tif 000003
【図２】
2019107396.tif 000004
【図３】
2019107396.tif 000005
【図４】
2019107396.tif 000006
【図５】
2019107396.tif 000007
【図６】
2019107396.tif 000008
【図７】
2019107396.tif 000009
【図８】
2019107396.tif 000010